【事件の表示】
　特許第３７３１６５７号に関する訂正審判事件について、次のとおり審決する。
【結　論】
　特許第３７３１６５７号に係る明細書及び図面を本件審判請求書に添付された訂正明細書及び図面のとおり訂正することを認める。
【理　由】
１　請求の要旨 
　本件審判の請求の要旨は，特許第３７３１６５７号発明（特願平９−２００８６０号（平成９年７月１０日出願）の分割出願，平成１７年１０月２１日設定登録）の明細書及び図面を審判請求書に添付した訂正明細書及び図面のとおり，すなわち，下記（１）ないし（１６）のとおり訂正することを求めるものである。
　
  　　　　　　　　　　　　　　　記　  
（１）訂正事項１ 　特許請求の範囲の請求項１に係る記載における「前記インデックスファイル」を「インデックスファイル」と訂正する。
（２）訂正事項２
　特許請求の範囲の請求項１に係る記載における「前記圧縮内」を「前記圧縮ファイル内」と訂正する。
（３）訂正事項３
　特許請求の範囲の請求項３に係る記載における「前記インデックスファイル」を「インデックスファイル」と訂正する。
（４）訂正事項４
　特許請求の範囲の請求項３に係る記載における「前記圧縮内」を「前記圧縮ファイル内」と訂正する。
（５）訂正事項５
　特許請求の範囲の請求項４に係る記載における「前記インデックスファイル」を「インデックスファイル」と訂正する。
（６）訂正事項６
　特許請求の範囲の請求項４に係る記載における「前記圧縮内」を「前記圧縮ファイル内」と訂正する。
（７）訂正事項７
　特許請求の範囲の請求項６に係る記載における「前記インデックスファイル」を「インデックスファイル」と訂正する。
（８）訂正事項８
　特許請求の範囲の請求項６に係る記載における「前記圧縮内」を「前記圧縮ファイル内」と訂正する。
（９）訂正事項９
　特許請求の範囲の請求項７に係る記載における「前記インデックスファイル」を「インデックスファイル」と訂正する。
（１０）訂正事項１０
　特許請求の範囲の請求項９に係る記載における「前記インデックスファイル」を「インデックスファイル」と訂正する。
（１１）訂正事項１１
　発明の詳細な説明の第５段落に係る記載における「圧縮内」を「圧縮ファイル内」と訂正する。
（１２）訂正事項１２
　発明の詳細な説明の第７段落に係る記載における「圧縮内」を「圧縮ファイル内」と訂正する。
（１３）訂正事項１３
　発明の詳細な説明の第８段落に係る記載における「圧縮内」を「圧縮ファイル内」と訂正する。
（１４）訂正事項１４
　発明の詳細な説明の第１０段落に係る記載における「圧縮内」を「圧縮ファイル内」と訂正する。
（１５）訂正事項１５
　発明の詳細な説明の第１４段落に係る記載における「圧縮内」を「圧縮ファイル内」と訂正する。
（１６）訂正事項１６
　発明の詳細な説明の第１６段落に係る記載における「圧縮内」を「圧縮ファイル内」と訂正する。
　 
２　当審の判断
　そこで，上記訂正事項１ないし１６について検討する。
（１）訂正事項１について
　上記１（１）の訂正は，訂正前の特許請求の範囲の請求項１（以下，「訂正前請求項１」という。）中の「前記インデックスファイルの中から，前記閾値設定手段により設定された前記閾値以上のシーンチェンジパラメータを検索し，そのシーンチェンジパラメータに対応する画面を表示させる表示手段」を，訂正後の特許請求の範囲の請求項１（以下，「訂正後請求項１）」中の「インデックスファイルの中から，前記閾値設定手段により設定された前記閾値以上のシーンチェンジパラメータを検索し，そのシーンチェンジパラメータに対応する画面を表示させる表示手段」に訂正するものであるが，
　発明の詳細な説明における第３５５段落ないし第３６８段落及び図３の記載を参酌すれば，訂正前請求項１の上記「前記インデックスファイルの中から，前記閾値設定手段により設定された前記閾値以上のシーンチェンジパラメータを検索し」の記載は，発明の詳細な説明における第３６６段落の「インデックスファイルに記録された自動インデックスのうち，閾値入力欄３８３Ａに入力された値以上のシーンチェンジパラメータを有するものが検索され」の記載に対応することが認められるから，訂正前請求項１の「前記インデックスファイル」が「インデックスファイル」を意味することは明白である。
　また，訂正前請求項１中には，上記「前記インデックスファイル」より前に「インデックスファイル」の記載はない。
　したがって，「前記インデックスファイル」が「インデックスファイル」の誤記であることは明白であり，訂正事項１は，誤記の訂正を目的とするものに該当する。
　また，上記訂正は，願書に最初に添付した明細書又は図面に記載した事項の範囲内においてするものであって，かつ，実質上特許請求の範囲を拡張し又は変更するものでもない。
　
（２）訂正事項２について
　上記１（２）の訂正は，訂正前請求項１中の「前記シーンチェンジパラメータがシーンチェンジの度合いを表す画像に対応する符号化データの前記圧縮内での位置を特定するための位置情報に基づいて前記圧縮ファイルから対応する符号化データを読み出す読み出し手段」を，訂正後請求項１中の「前記シーンチェンジパラメータがシーンチェンジの度合いを表す画像に対応する符号化データの前記圧縮ファイル内での位置を特定するための位置情報に基づいて前記圧縮ファイルから対応する符号化データを読み出す読み出し手段」に訂正するものであるが，
　上記発明の詳細な説明の第３５５段落ないし第３６８段落及び図３の記載とともに，「そのシーンチェンジパラメータがシーンチェンジの度合いを表すフレームの符号化データが，ＭＰＥＧファイルに書き込まれた位置に関する位置情報としてのシーンチェンジポインタが求められ，シーンチェンジパラメータと対応付けられる。」（第２５９段落），「シーンチェンジポインタとしては，例えば，符号化データが，ＭＰＥＧファイルの先頭から何バイト目に書き込まれているかを表すバイトポジションなどを採用することができる。」（第２６０段落），「マイクロプロセッサ２０１は，指定されたクリップを構成するＭＰＥＧファイルの中の，同じく指定されたクリップを構成するインデックスファイルに記録されたシーンチェンジポインタが指す位置に記録されたフレームの符号化データを，ＭＰＥＧ１ソフトウェアデコーダ２０１Ａ（図１８）によってデコードする。そして，マイクロプロセッサ２０１は，そのデコードされたフレーム（の縮小画面）を，インデックス画面として，ソースウインドウ３６２に表示する。」（第３３０段落）の記載を参酌すれば，
　訂正前請求項１の上記「前記シーンチェンジパラメータがシーンチェンジの度合いを表す画像に対応する符号化データの前記圧縮内での位置を特定するための位置情報」は，上記「そのシーンチェンジパラメータがシーンチェンジの度合いを表すフレームの符号化データ」の「ＭＰＥＧファイルに書き込まれた位置に関する位置情報としてのシーンチェンジポインタ」に対応し，訂正前請求項１の上記「前記圧縮ファイルから対応する符号化データを読み出す」は，上記「ＭＰＥＧファイル」から対応する「符号化データ」を読み出すことに対応すると認めることができるから，訂正前請求項１の「前記圧縮ファイル」は「ＭＰＥＧファイル」に対応し，訂正前請求項１の「前記圧縮内」は「ＭＰＥＧファイル」内に対応することが明白である。
　また，訂正前請求項１中には，「圧縮ファイル」以外に「圧縮」の記載はない。
　したがって，「前記圧縮内」が「前記圧縮ファイル内」の誤記であることは明白であり，訂正事項２は，誤記の訂正を目的とするものに該当する。
　また，上記訂正は，願書に最初に添付した明細書又は図面に記載した事項の範囲内においてするものであって，かつ，実質上特許請求の範囲を拡張し又は変更するものでもない。
　
（３）訂正事項３について
　上記１（３）の訂正は，訂正前の特許請求の範囲の請求項３（以下，「訂正前請求項３」という。）中の「前記インデックスファイルの中から，前記範囲設定手段により設定された範囲ごとに，その範囲において最も大きいシーンチェンジの度合いを表す前記シーンチェンジパラメータを検索し，そのシーンチェンジパラメータに対応する画面を表示させる表示手段」を，訂正後請求項３中の「インデックスファイルの中から，前記範囲設定手段により設定された範囲ごとに，その範囲において最も大きいシーンチェンジの度合いを表す前記シーンチェンジパラメータを検索し，そのシーンチェンジパラメータに対応する画面を表示させる表示手段」に訂正するものであるが，
　発明の詳細な説明における第３５５段落ないし第３６８段落及び図３の記載を参酌すれば，訂正前請求項３の上記「前記インデックスファイルの中から，前記範囲設定手段により設定された範囲ごとに，その範囲において最も大きいシーンチェンジの度合いを表す前記シーンチェンジパラメータを検索し」の記載は，発明の詳細な説明における第３６８段落の「時間入力欄３８７に設定された時間間隔ごとに，各時間内において，最大のシーンチェンジパラメータを有する自動インデックスが，インデックスファイルから検索される」の記載に対応することが認められるから，訂正前請求項３の「前記インデックスファイル」が「インデックスファイル」を意味することは明白である。
　また，訂正前請求項３中には，上記「前記インデックスファイル」より前に「インデックスファイル」の記載はない。
　したがって，「前記インデックスファイル」が「インデックスファイル」の誤記であることは明白であり，訂正事項３は，誤記の訂正を目的とするものに該当する。
　また，上記訂正は，願書に最初に添付した明細書又は図面に記載した事項の範囲内においてするものであって，かつ，実質上特許請求の範囲を拡張し又は変更するものでもない。
　
（４）訂正事項４について
　上記１（４）の訂正は，訂正前請求項３中の「前記シーンチェンジパラメータがシーンチェンジの度合いを表す画像に対応する符号化データの前記圧縮内での位置を特定するための位置情報に基づいて前記圧縮ファイルから対応する符号化データを読み出す読み出し手段」を，訂正後請求項３中の「前記シーンチェンジパラメータがシーンチェンジの度合いを表す画像に対応する符号化データの前記圧縮ファイル内での位置を特定するための位置情報に基づいて前記圧縮ファイルから対応する符号化データを読み出す読み出し手段」に訂正するものであるが，
　上記発明の詳細な説明の第３５５段落ないし第３６８段落及び図３の記載とともに，「そのシーンチェンジパラメータがシーンチェンジの度合いを表すフレームの符号化データが，ＭＰＥＧファイルに書き込まれた位置に関する位置情報としてのシーンチェンジポインタが求められ，シーンチェンジパラメータと対応付けられる。」（第２５９段落），「シーンチェンジポインタとしては，例えば，符号化データが，ＭＰＥＧファイルの先頭から何バイト目に書き込まれているかを表すバイトポジションなどを採用することができる。」（第２６０段落），「マイクロプロセッサ２０１は，指定されたクリップを構成するＭＰＥＧファイルの中の，同じく指定されたクリップを構成するインデックスファイルに記録されたシーンチェンジポインタが指す位置に記録されたフレームの符号化データを，ＭＰＥＧ１ソフトウェアデコーダ２０１Ａ（図１８）によってデコードする。そして，マイクロプロセッサ２０１は，そのデコードされたフレーム（の縮小画面）を，インデックス画面として，ソースウインドウ３６２に表示する。」（第３３０段落）の記載を参酌すれば，
　訂正前請求項３の上記「前記シーンチェンジパラメータがシーンチェンジの度合いを表す画像に対応する符号化データの前記圧縮内での位置を特定するための位置情報」は，上記「そのシーンチェンジパラメータがシーンチェンジの度合いを表すフレームの符号化データ」の「ＭＰＥＧファイルに書き込まれた位置に関する位置情報としてのシーンチェンジポインタ」に対応し，訂正前請求項３の上記「前記圧縮ファイルから対応する符号化データを読み出す」は，上記「ＭＰＥＧファイル」から対応する「符号化データ」を読み出すことに対応すると認めることができるから，訂正前請求項３の「前記圧縮ファイル」は「ＭＰＥＧファイル」に対応し，訂正前請求項３の「前記圧縮内」は「ＭＰＥＧファイル」内に対応することが明白である。
　また，訂正前請求項３中には，「圧縮ファイル」以外に「圧縮」の記載はない。
　したがって，「前記圧縮内」が「前記圧縮ファイル内」の誤記であることは明白であり，訂正事項４は，誤記の訂正を目的とするものに該当する。
　また，上記訂正は，願書に最初に添付した明細書又は図面に記載した事項の範囲内においてするものであって，かつ，実質上特許請求の範囲を拡張し又は変更するものでもない。
　
（５）訂正事項５について
　上記１（５）の訂正は，訂正前の特許請求の範囲の請求項４（以下，「訂正前請求項４」という。）中の「前記インデックスファイルの中から，前記閾値以上のシーンチェンジパラメータを検索し，そのシーンチェンジパラメータに対応する画面を表示させる表示ステップ」を，訂正後請求項４中の「インデックスファイルの中から，前記閾値以上のシーンチェンジパラメータを検索し，そのシーンチェンジパラメータに対応する画面を表示させる表示ステップ」に訂正するものであるが，
　発明の詳細な説明における第３５５段落ないし第３６８段落及び図３の記載を参酌すれば，訂正前請求項４の上記「前記インデックスファイルの中から，前記閾値以上のシーンチェンジパラメータを検索し」の記載は，発明の詳細な説明における第３６６段落の「インデックスファイルに記録された自動インデックスのうち，閾値入力欄３８３Ａに入力された値以上のシーンチェンジパラメータを有するものが検索され」の記載に対応することが認められるから，訂正前請求項４の「前記インデックスファイル」が「インデックスファイル」を意味することは明白である。
　また，訂正前請求項４中には，上記「前記インデックスファイル」より前に「インデックスファイル」の記載はない。
　したがって，「前記インデックスファイル」が「インデックスファイル」の誤記であることは明白であり，訂正事項５は，誤記の訂正を目的とするものに該当する。
　また，上記訂正は，願書に最初に添付した明細書又は図面に記載した事項の範囲内においてするものであって，かつ，実質上特許請求の範囲を拡張し又は変更するものでもない。
　
（６）訂正事項６について
　上記１（６）の訂正は，訂正前請求項４中の「前記シーンチェンジパラメータがシーンチェンジの度合いを表す画像に対応する符号化データの前記圧縮内での位置を特定するための位置情報に基づいて前記圧縮ファイルから対応する符号化データを読み出す読み出しステップ」を，訂正後請求項４中の「前記シーンチェンジパラメータがシーンチェンジの度合いを表す画像に対応する符号化データの前記圧縮ファイル内での位置を特定するための位置情報に基づいて前記圧縮ファイルから対応する符号化データを読み出す読み出しステップ」に訂正するものであるが，
　上記発明の詳細な説明の第３５５段落ないし第３６８段落及び図３の記載とともに，「そのシーンチェンジパラメータがシーンチェンジの度合いを表すフレームの符号化データが，ＭＰＥＧファイルに書き込まれた位置に関する位置情報としてのシーンチェンジポインタが求められ，シーンチェンジパラメータと対応付けられる。」（第２５９段落），「シーンチェンジポインタとしては，例えば，符号化データが，ＭＰＥＧファイルの先頭から何バイト目に書き込まれているかを表すバイトポジションなどを採用することができる。」（第２６０段落），「マイクロプロセッサ２０１は，指定されたクリップを構成するＭＰＥＧファイルの中の，同じく指定されたクリップを構成するインデックスファイルに記録されたシーンチェンジポインタが指す位置に記録されたフレームの符号化データを，ＭＰＥＧ１ソフトウェアデコーダ２０１Ａ（図１８）によってデコードする。そして，マイクロプロセッサ２０１は，そのデコードされたフレーム（の縮小画面）を，インデックス画面として，ソースウインドウ３６２に表示する。」（第３３０段落）の記載を参酌すれば，
　訂正前請求項４の上記「前記シーンチェンジパラメータがシーンチェンジの度合いを表す画像に対応する符号化データの前記圧縮内での位置を特定するための位置情報」は，上記「そのシーンチェンジパラメータがシーンチェンジの度合いを表すフレームの符号化データ」の「ＭＰＥＧファイルに書き込まれた位置に関する位置情報としてのシーンチェンジポインタ」に対応し，訂正前請求項４の上記「前記圧縮ファイルから対応する符号化データを読み出す」は，上記「ＭＰＥＧファイル」から対応する「符号化データ」を読み出すことに対応すると認めることができるから，訂正前請求項４の「前記圧縮ファイル」は「ＭＰＥＧファイル」に対応し，訂正前請求項４の「前記圧縮内」は「ＭＰＥＧファイル」内に対応することが明白である。
　また，訂正前請求項４中には，「圧縮ファイル」以外に「圧縮」の記載はない。
　したがって，「前記圧縮内」が「前記圧縮ファイル内」の誤記であることは明白であり，訂正事項６は，誤記の訂正を目的とするものに該当する。
　また，上記訂正は，願書に最初に添付した明細書又は図面に記載した事項の範囲内においてするものであって，かつ，実質上特許請求の範囲を拡張し又は変更するものでもない。
　
（７）訂正事項７について
　上記１（７）の訂正は，訂正前の特許請求の範囲の請求項６（以下，「訂正前請求項６」という。）中の，「前記インデックスファイルの中から，前記範囲ごとに，その範囲において最も大きいシーンチェンジの度合いを表す前記シーンチェンジパラメータを検索し，そのシーンチェンジパラメータに対応する画面を表示させる表示ステップ」を，訂正後請求項６中の「インデックスファイルの中から，前記範囲ごとに，その範囲において最も大きいシーンチェンジの度合いを表す前記シーンチェンジパラメータを検索し，そのシーンチェンジパラメータに対応する画面を表示させる表示ステップ」に訂正するものであるが，
　発明の詳細な説明における第３５５段落ないし第３６８段落及び図３の記載を参酌すれば，訂正前請求項６の上記「前記インデックスファイルの中から，前記範囲ごとに，その範囲において最も大きいシーンチェンジの度合いを表す前記シーンチェンジパラメータを検索し」の記載は，発明の詳細な説明における第３６８段落の「時間入力欄３８７に設定された時間間隔ごとに，各時間内において，最大のシーンチェンジパラメータを有する自動インデックスが，インデックスファイルから検索される」の記載に対応することが認められるから，訂正前請求項６の「前記インデックスファイル」が「インデックスファイル」を意味することは明白である。
　また，訂正前請求項６中には，上記「前記インデックスファイル」より前に「インデックスファイル」の記載はない。
　したがって，「前記インデックスファイル」が「インデックスファイル」の誤記であることは明白であり，訂正事項７は，誤記の訂正を目的とするものに該当する。
　また，上記訂正は，願書に最初に添付した明細書又は図面に記載した事項の範囲内においてするものであって，かつ，実質上特許請求の範囲を拡張し又は変更するものでもない。
　
（８）訂正事項８について
　上記１（８）の訂正は，訂正前請求項６中の「前記シーンチェンジパラメータがシーンチェンジの度合いを表す画像に対応する符号化データの前記圧縮内での位置を特定するための位置情報に基づいて前記圧縮ファイルから対応する符号化データを読み出すステップ」を，訂正後請求項６中の「前記シーンチェンジパラメータがシーンチェンジの度合いを表す画像に対応する符号化データの前記圧縮ファイル内での位置を特定するための位置情報に基づいて前記圧縮ファイルから対応する符号化データを読み出すステップ」に訂正するものであるが，
　上記発明の詳細な説明の第３５５段落ないし第３６８段落及び図３の記載とともに，「そのシーンチェンジパラメータがシーンチェンジの度合いを表すフレームの符号化データが，ＭＰＥＧファイルに書き込まれた位置に関する位置情報としてのシーンチェンジポインタが求められ，シーンチェンジパラメータと対応付けられる。」（第２５９段落），「シーンチェンジポインタとしては，例えば，符号化データが，ＭＰＥＧファイルの先頭から何バイト目に書き込まれているかを表すバイトポジションなどを採用することができる。」（第２６０段落），「マイクロプロセッサ２０１は，指定されたクリップを構成するＭＰＥＧファイルの中の，同じく指定されたクリップを構成するインデックスファイルに記録されたシーンチェンジポインタが指す位置に記録されたフレームの符号化データを，ＭＰＥＧ１ソフトウェアデコーダ２０１Ａ（図１８）によってデコードする。そして，マイクロプロセッサ２０１は，そのデコードされたフレーム（の縮小画面）を，インデックス画面として，ソースウインドウ３６２に表示する。」（第３３０段落）の記載を参酌すれば，
　訂正前請求項６の上記「前記シーンチェンジパラメータがシーンチェンジの度合いを表す画像に対応する符号化データの前記圧縮内での位置を特定するための位置情報」は，上記「そのシーンチェンジパラメータがシーンチェンジの度合いを表すフレームの符号化データ」の「ＭＰＥＧファイルに書き込まれた位置に関する位置情報としてのシーンチェンジポインタ」に対応し，訂正前請求項６の上記「前記圧縮ファイルから対応する符号化データを読み出す」は，上記「ＭＰＥＧファイル」から対応する「符号化データ」を読み出すことに対応すると認めることができるから，訂正前請求項６の「前記圧縮ファイル」は「ＭＰＥＧファイル」に対応し，訂正前請求項６の「前記圧縮内」は「ＭＰＥＧファイル」内に対応することが明白である。
　また，訂正前請求項６中には，「圧縮ファイル」以外に「圧縮」の記載はない。
　したがって，「前記圧縮内」が「前記圧縮ファイル内」の誤記であることは明白であり，訂正事項８は，誤記の訂正を目的とするものに該当する。
　また，上記訂正は，願書に最初に添付した明細書又は図面に記載した事項の範囲内においてするものであって，かつ，実質上特許請求の範囲を拡張し又は変更するものでもない。 
　
（９）訂正事項９について
　上記１（９）の訂正は，訂正前の特許請求の範囲の請求項７（以下，「訂正前請求項７」という。）中の，「前記インデックスファイルの中から，前記閾値以上のシーンチェンジパラメータを検索し，そのシーンチェンジパラメータに対応する画面を表示させる表示ステップ」を，訂正後請求項７中の「インデックスファイルの中から，前記閾値以上のシーンチェンジパラメータを検索し，そのシーンチェンジパラメータに対応する画面を表示させる表示ステップ」に訂正するものであるが，
　発明の詳細な説明における第３５５段落ないし第３６８段落及び図３の記載を参酌すれば，訂正前請求項７の上記「前記インデックスファイルの中から，前記閾値以上のシーンチェンジパラメータを検索し」の記載は，発明の詳細な説明における第３６６段落の「インデックスファイルに記録された自動インデックスのうち，閾値入力欄３８３Ａに入力された値以上のシーンチェンジパラメータを有するものが検索され」の記載に対応することが認められるから，訂正前請求項７の「前記インデックスファイル」が「インデックスファイル」を意味することは明白である。
　また，訂正前請求項７中には，上記「前記インデックスファイル」より前に「インデックスファイル」の記載はない。
　したがって，「前記インデックスファイル」が「インデックスファイル」の誤記であることは明白であり，訂正事項９は，誤記の訂正を目的とするものに該当する。
　また，上記訂正は，願書に最初に添付した明細書又は図面に記載した事項の範囲内においてするものであって，かつ，実質上特許請求の範囲を拡張し又は変更するものでもない。 
　
（１０）訂正事項１０について
　上記１（１０）の訂正は，訂正前の特許請求の範囲の請求項９（以下，「訂正前請求項９」という。）中の，「前記インデックスファイルの中から，前記範囲ごとに，その範囲において最も大きいシーンチェンジの度合いを表す前記シーンチェンジパラメータを検索し，そのシーンチェンジパラメータに対応する画面を表示させる表示ステップ」を，訂正後請求項９中の「インデックスファイルの中から，前記範囲ごとに，その範囲において最も大きいシーンチェンジの度合いを表す前記シーンチェンジパラメータを検索し，そのシーンチェンジパラメータに対応する画面を表示させる表示ステップ」に訂正するものであるが，
　発明の詳細な説明における第３５５段落ないし第３６８段落及び図３の記載を参酌すれば，訂正前請求項９の上記「前記インデックスファイルの中から，前記範囲ごとに，その範囲において最も大きいシーンチェンジの度合いを表す前記シーンチェンジパラメータを検索し」の記載は，発明の詳細な説明における第３６８段落の「時間入力欄３８７に設定された時間間隔ごとに，各時間内において，最大のシーンチェンジパラメータを有する自動インデックスが，インデックスファイルから検索される」の記載に対応することが認められるから，訂正前請求項９の「前記インデックスファイル」が「インデックスファイル」を意味することは明白である。
　また，訂正前請求項９中には，他に「インデックスファイル」の記載はない。
　したがって，「前記インデックスファイル」が「インデックスファイル」の誤記であることは明白であり，訂正事項１０は，誤記の訂正を目的とするものに該当する。
　また，上記訂正は，願書に最初に添付した明細書又は図面に記載した事項の範囲内においてするものであって，かつ，実質上特許請求の範囲を拡張し又は変更するものでもない。
　
（１１）訂正事項１１について
　上記１（１１）の訂正は，請求項１の記載と発明の詳細な説明の記載との整合を図るためのものであり，その訂正内容は実質的に上記訂正事項２と同一であって，上記２（２）と同様のことがいえるから，誤記の訂正を目的とするものに該当する。
　また，上記訂正は，願書に最初に添付した明細書又は図面に記載した事項の範囲内においてするものであって，かつ，実質上特許請求の範囲を拡張し又は変更するものでもない。 
　
（１２）訂正事項１２について
　上記１（１２）の訂正は，請求項３の記載と発明の詳細な説明の記載との整合を図るためのものであり，その訂正内容は実質的に上記訂正事項４と同一であって，上記２（４）と同様のことがいえるから，誤記の訂正を目的とするものに該当する。
　また，上記訂正は，願書に最初に添付した明細書又は図面に記載した事項の範囲内においてするものであって，かつ，実質上特許請求の範囲を拡張し又は変更するものでもない。
　
（１３）訂正事項１３について
　上記１（１３）の訂正は，請求項４の記載と発明の詳細な説明の記載との整合を図るためのものであり，その訂正内容は実質的に上記訂正事項６と同一であって，上記２（６）と同様のことがいえるから，誤記の訂正を目的とするものに該当する。
　また，上記訂正は，願書に最初に添付した明細書又は図面に記載した事項の範囲内においてするものであって，かつ，実質上特許請求の範囲を拡張し又は変更するものでもない。 
　
（１４）訂正事項１４について
　上記１（１４）の訂正は，請求項６の記載と発明の詳細な説明の記載との整合を図るためのものであり，その訂正内容は実質的に上記訂正事項８と同一であって，上記２（８）と同様のことがいえるから，誤記の訂正を目的とするものに該当する。
　また，上記訂正は，願書に最初に添付した明細書又は図面に記載した事項の範囲内においてするものであって，かつ，実質上特許請求の範囲を拡張し又は変更するものでもない。 
　
（１５）訂正事項１５について
　上記１（１５）の訂正は，請求項１，４及び７の記載と発明の詳細な説明の記載との整合を図るためのものであり，その訂正内容は実質的に上記訂正事項２及び６と同一であって，上記２（２）及び（６）と同様のことがいえるから，誤記の訂正を目的とするものに該当する。
　また，上記訂正は，願書に最初に添付した明細書又は図面に記載した事項の範囲内においてするものであって，かつ，実質上特許請求の範囲を拡張し又は変更するものでもない。
　
（１６）訂正事項１６について
　上記１（１６）の訂正は，請求項３，６及び９の記載と発明の詳細な説明の記載との整合を図るためのものであり，その訂正内容は実質的に上記訂正事項４及び８と同一であって，上記２（４）及び（８）と同様のことがいえるから，誤記の訂正を目的とするものに該当する。
　また，上記訂正は，願書に最初に添付した明細書又は図面に記載した事項の範囲内においてするものであって，かつ，実質上特許請求の範囲を拡張し又は変更するものでもない。
　
　さらに，訂正後における特許請求の範囲の各請求項に記載されている事項により特定される発明は，特許出願の際独立して特許を受けることができない発明でもない。 
　
３　むすび
　したがって，本件審判の請求は，特許法第１２６条第１項第２号に掲げる事項を目的とし，かつ，同条第３項ないし第５項の規定に適合する。
　よって，結論のとおり審決する。